(57)【要約】【課題】一対のリード線を束ねる際に加わるストレスを低減することが可能な発光ユニット等を提供する。【解決手段】基板１１と、基板１１上に配設された発光部１２と、基板１１上における発光部１２を避けた領域に配設され、一対のリード線が１対１対応で接続される一対の端子部１６と、を備え、各端子部１６は、対応するリード線の一端をそれぞれ第１および第２方向Ｄ１，Ｄ２に接続するものであり、平面視において、各端子部１６は、第１および第２方向Ｄ１，Ｄ２に延伸する仮想線Ｌ１，Ｌ２同士が交差するように、かつ、仮想線Ｌ１，Ｌ２が発光部１２の輪郭に沿うように配置されている。【選択図】図４
2014154468.tif 000002
【特許請求の範囲】
【請求項１】
基板と、
前記基板上に配設された発光部と、
前記基板上における前記発光部を避けた領域に配設され、一対のリード線が１対１対応で接続される一対の端子部と、を備え、
前記各端子部は、対応するリード線の一端をそれぞれ第１および第２方向に接続するものであり、
平面視において、前記各端子部は、前記第１および第２方向に延伸する仮想線同士が交差するように、かつ、前記各仮想線が前記発光部の輪郭に沿うように配置されている
ことを特徴とする発光ユニット。
【請求項２】
前記各端子部は、前記発光部に電気接続されるとともに前記各リード線が差込口に差し込まれる速結端子を含み、
前記各速結端子への前記各リード線の差込方向は、それぞれ前記第１および第２方向と一致する
ことを特徴とする請求項１に記載の発光ユニット。
【請求項３】
前記各端子部は、前記発光部に電気接続される長尺状の導電ランドを含み、
前記各導電ランドの長手方向は、それぞれ前記第１および第２方向と一致する
ことを特徴とする請求項１に記載の発光ユニット。
【請求項４】
前記各端子部は、前記発光部に電気接続される導電ランドを含み、
前記各導電ランドは、対応するリード線の一端をそれぞれ第１および第２方向に接続する
ことを特徴とする請求項１に記載の発光ユニット。
【請求項５】
前記基板の平面視形状は矩形であり、
前記各端子部は、前記基板の四隅のうちの二隅に配置されている
ことを特徴とする請求項１に記載の発光ユニット。
【請求項６】
前記各端子部は、前記基板の四隅のうち隣接する二隅に配置されている
ことを特徴とする請求項５に記載の発光ユニット。
【請求項７】
前記発光部の平面視形状は円形状である
ことを特徴とする請求項５に記載の発光ユニット。
【請求項８】
さらに、前記基板、前記発光部および前記各端子部を収容するケースを備え、
前記ケースには、前記各リード線の他端を外部電源へ導くための開口部が形成されている
ことを特徴とする請求項１に記載の発光ユニット。
【請求項９】
前記第１および第２方向に延伸する仮想線同士のなす角は、２０〜９０°である
ことを特徴とする請求項８に記載の発光ユニット。
【請求項１０】
前記第１および第２方向に延伸する仮想線同士のなす角は、３０〜６０°である
ことを特徴とする請求項８に記載の発光ユニット。
【請求項１１】
基板と、
前記基板上に配設された発光部と、
前記基板上における前記発光部を避けた領域に配設され、一対のリード線が１対１対応で接続される一対の端子部と、を備え、
前記各端子部は、対応するリード線の一端をそれぞれ第１および第２方向に接続するものであり、
平面視において、前記各端子部は、前記第１および第２方向に延伸する仮想線同士が交差するように、かつ、前記各仮想線が前記発光部の輪郭に沿うように配置されている
ことを特徴とする発光モジュール。
【請求項１２】
前記各端子部は、前記発光部に電気接続されるとともに前記各リード線が差込口に差し込まれる速結端子を含み、
前記各速結端子への前記各リード線の差込方向は、それぞれ前記第１および第２方向と一致する
ことを特徴とする請求項１１に記載の発光モジュール。
【請求項１３】
前記各端子部は、前記発光部に電気接続される長尺状の導電ランドを含み、
前記各導電ランドの長手方向は、それぞれ前記第１および第２方向と一致する
ことを特徴とする請求項１１に記載の発光モジュール。
【請求項１４】
前記各端子部は、前記発光部に電気接続される導電ランドを含み、
前記各導電ランドは、対応するリード線の一端をそれぞれ第１および第２方向に接続する
ことを特徴とする請求項１１に記載の発光モジュール。
【請求項１５】
前記基板の平面視形状は矩形であり、
前記各端子部は、前記基板の四隅のうちの二隅に配置されている
ことを特徴とする請求項１１に記載の発光モジュール。
【請求項１６】
前記各端子部は、前記基板の四隅のうち隣接する二隅に配置されている
ことを特徴とする請求項１５に記載の発光モジュール。
【請求項１７】
前記発光部の平面視形状は円形状である
ことを特徴とする請求項１５に記載の発光モジュール。
【請求項１８】
前記第１および第２方向に延伸する仮想線同士のなす角は、２０〜９０°である
ことを特徴とする請求項１１に記載の発光モジュール。
【請求項１９】
前記第１および第２方向に延伸する仮想線同士のなす角は、３０〜６０°である
ことを特徴とする請求項１１に記載の発光モジュール。
【発明の詳細な説明】
【技術分野】
【０００１】
本発明は、特に、発光部が配設された基板と、基板上に配設された端子部を備える発光ユニットおよび発光モジュールに関する。
【背景技術】
【０００２】
近年、省エネルギーの観点から、光源としてＬＥＤ（Ｌｉｇｈｔ  Ｅｍｉｔｔｉｎｇ  Ｄｉｏｄｅ）を利用した各種の発光ユニットが提案されている（例えば、特許文献１）。
図２０（ａ）は、特許文献１に係る発光ユニット９０００の構成を示す斜視図であり、図２０（ｂ）は発光ユニット９０００の構成を示す平面図である。発光ユニット９０００は、主な構成として発光モジュール９０１、発光モジュール９０１を収容するケースの底部をなす金属基台９０２を備える。発光モジュール９０１は、金属基台９０２の載置台９０２ａに載置されている。発光モジュール９０１は、発光部９０３、発光部９０３が配設された基板９０４、基板９０４上における発光部９０３を避けた領域に配設された導電ランド９０５を備える。
【０００３】
一対のリード線９０６はそれぞれ、導電ランド９０５を介して発光部９０３に電力を供給するためのものであり、一端は半田付けにより導電ランド９０５に接続され、他端は外部電源に接続される。導電ランド９０５は長尺状をしており、導電ランド９０５は、リード線９０６の一端を導電ランド９０５の長手方向に接続するものである。リード線９０６は、金属基台９０２に形成された凹部９０２ｂの円形状に沿って収納配置される。凹部９０２ｂの内周壁９０２ｂａに当接したリード線９０６は、内周壁９０２ｂａと突出部９０２ｃとの間を通って発光ユニット９０００の外部に導出される。ここで、金属基台９０２には導出部９０２ｄが形成されている。導出部９０２ｄに一対のリード線９０６が挿通することでリード線９０６が束ねられ、束ねられた一対のリード線９０６は外部電源へ向けて導出される。
【先行技術文献】
【特許文献】
【０００４】
【特許文献１】特開２０１２−１８１９４７号公報
【発明の概要】
【発明が解決しようとする課題】
【０００５】
しかしながら、特許文献１に係る発光ユニット９０００の構成では、一対のリード線９０６を束ねる際にリード線９０６にストレスを与えてしまうおそれがある。具体的には、リード線９０６を内周壁９０２ｂａと突出部９０２ｃとの間、および導出部９０２ｄに挿通させた際に、リード線９０６が比較的小さな曲率で屈曲する。これにより、リード線９０６にストレスが加わるおそれがある。リード線９０６にストレスが加わると、リード線９０６の断線やそれに伴う接続不良等の問題を招くおそれがある。
【０００６】
本発明は、上記課題に鑑みてなされたものであり、一対のリード線を束ねる際に加わるストレスを低減することが可能な発光ユニット等の提供を目的とする。
【課題を解決するための手段】
【０００７】
上記の目的を達成するため、本明細書に開示される発光ユニットは、基板と、前記基板上に配設された発光部と、前記基板上における前記発光部を避けた領域に配設され、一対のリード線が１対１対応で接続される一対の端子部と、を備え、前記各端子部は、対応するリード線の一端をそれぞれ第１および第２方向に接続するものであり、平面視において、前記各端子部は、前記第１および第２方向に延伸する仮想線同士が交差するように、かつ、前記各仮想線が前記発光部の輪郭に沿うように配置されていることを特徴とする。
【０００８】
また、前記各端子部は、前記発光部に電気接続されるとともに前記各リード線が差込口に差し込まれる速結端子を含み、前記各速結端子への前記各リード線の差込方向は、それぞれ前記第１および第２方向と一致することを特徴とする。
さらに、前記各端子部は、前記発光部に電気接続される長尺状の導電ランドを含み、前記各導電ランドの長手方向は、それぞれ前記第１および第２方向と一致することを特徴とする。
【０００９】
あるいは、前記各端子部は、前記発光部に電気接続される導電ランドを含み、前記各導電ランドは、対応するリード線の一端をそれぞれ第１および第２方向に接続することを特徴とする。
また、前記基板の平面視形状は矩形であり、前記各端子部は、前記基板の四隅のうちの二隅に配置されていることを特徴とする。
【００１０】
さらに、前記各端子部は、前記基板の四隅のうち隣接する二隅に配置されていることを特徴とする。
あるいは、前記発光部の平面視形状は円形状であることを特徴とする。
また、さらに前記基板、前記発光部および前記各端子部を収容するケースを備え、前記ケースには、前記各リード線の他端を外部電源へ導くための開口部が形成されていることを特徴とする。
【００１１】
さらに、前記第１および第２方向に延伸する仮想線同士のなす角は、２０〜９０［°］であることを特徴とする。
あるいは、前記第１および第２方向に延伸する仮想線同士のなす角は、３０〜６０［°］であることを特徴とする。
また、上記の目的を達成するため、本明細書に開示される発光モジュールは、基板と、前記基板上に配設された発光部と、前記基板上における前記発光部を避けた領域に配設され、一対のリード線が１対１対応で接続される一対の端子部と、を備え、前記各端子部は、対応するリード線の一端をそれぞれ第１および第２方向に接続するものであり、平面視において、前記各端子部は、前記第１および第２方向に延伸する仮想線同士が交差するように、かつ、前記各仮想線が前記発光部の輪郭に沿うように配置されていることを特徴とする。
【００１２】
さらに、前記各端子部は、前記発光部に電気接続されるとともに前記各リード線が差込口に差し込まれる速結端子を含み、前記各速結端子への前記各リード線の差込方向は、それぞれ前記第１および第２方向と一致することを特徴とする。
あるいは、前記各端子部は、前記発光部に電気接続される長尺状の導電ランドを含み、前記各導電ランドの長手方向は、それぞれ前記第１および第２方向と一致することを特徴とする。
【００１３】
また、前記各端子部は、前記発光部に電気接続される導電ランドを含み、前記各導電ランドは、対応するリード線の一端をそれぞれ第１および第２方向に接続することを特徴とする。
さらに、前記基板の平面視形状は矩形であり、前記各端子部は、前記基板の四隅のうちの二隅に配置されていることを特徴とする。
【００１４】
あるいは、前記各端子部は、前記基板の四隅のうち隣接する二隅に配置されていることを特徴とする。
また、前記発光部の平面視形状は円形状である
ことを特徴とする。
さらに、前記第１および第２方向に延伸する仮想線同士のなす角は、２０〜９０［°］であることを特徴とする。
【００１５】
あるいは、前記第１および第２方向に延伸する仮想線同士のなす角は、３０〜６０［°］であることを特徴とする。
【発明の効果】
【００１６】
本明細書に開示される発光ユニットの一対の端子部は、対応するリード線の一端をそれぞれ第１および第２方向に接続するものである。また、平面視において、各端子部は、第１および第２方向に延伸する仮想線同士が交差するように、かつ、各仮想線が発光部の輪郭に沿うように配置されている。このような配置の各端子部にリード線の一端を接続すると、一対のリード線の他端は基板の外周方向に向けて収束されることになる。これにより、リード線にさほどストレスを加えることなくリード線を束ね、発光ユニットの外部に導出することが可能である。
【００１７】
したがって、本明細書に開示される発光ユニット等によれば、一対のリード線を束ねる際に加わるストレスを低減することが可能である。
【図面の簡単な説明】
【００１８】
【図１】実施形態に係る照明器具を示す断面図である。
【図２】実施形態に係る発光ユニットを示す斜視図である。
【図３】実施形態に係る発光ユニットを示す分解斜視図である。
【図４】発光モジュール１０の平面図である。
【図５】リード線７１の導電ランド１４への電気的接続方法について説明するための側面図である。
【図６】端子部１６の配置の詳細を説明するための平面図である。
【図７】（ａ）実施形態に係る発光モジュール１０を示す平面図と、（ｂ）比較例に係る発光モジュール９１０を示す平面図である。
【図８】（ａ）仮想線Ｌ１，Ｌ２同士のなす角θを３０［°］とした発光モジュール１０を示す平面図と、（ｂ）仮想線Ｌ１，Ｌ２同士のなす角θを９０［°］とした発光モジュール１０を示す平面図である。
【図９】発光モジュールの構成に係る変形例を示す平面図である。
【図１０】端子部の構成に係る変形例を示す平面図である。
【図１１】基板の形状に係る変形例を示す平面図である。
【図１２】（ａ）実施形態に係る発光モジュールを示す平面図と、（ｂ）変形例に係る発光モジュールを示す平面図である。
【図１３】（ａ）発光部の平面視形状が矩形状である場合における端子部の他の配置を示す平面図と、（ｂ）発光部の平面視形状が矩形状である場合における端子部の配置の比較例を示す平面図である。
【図１４】（ａ）変形例に係る発光ユニットを示す斜視図と、（ｂ）カバー３９を取り除いた状態の発光ユニットの斜視図である。
【図１５】変形例に係るカバーを示す斜視図である。
【図１６】変形例に係るカバーを示す斜視図である。
【図１７】変形例に係るカバーを示す斜視図である。
【図１８】変形例に係るカバーを示す斜視図である。
【図１９】変形例に係る金属基台を示す斜視図である。
【図２０】（ａ）特許文献１に係る発光ユニット９０００の構成を示す斜視図と、（ｂ）発光ユニット９０００の構成を示す平面図である。
【発明を実施するための形態】
【００１９】
以下、本発明の実施の形態に係る発光ユニットおよび発光モジュールについて、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００２０】
なお、各図は模式図であり、必ずしも厳密に図示されたものではない。また、各図において、同じ構成部材については同じ符号を付している。
≪実施形態≫
［構成］
＜照明器具１の全体構成＞
図１は、実施形態に係る照明器具を示す断面図である。図１に示すように、本実施形態に係る照明器具１は、天井２に埋め込むようにして取り付けられるダウンライトであって、器具３、回路ユニット４および発光ユニット６を備える。
【００２１】
器具３は、例えば、金属製であって、ランプ収容部３ａ、回路収容部３ｂおよび外鍔部３ｃを有する。ランプ収容部３ａは、例えば有底円筒状であって、内部に発光ユニット６が着脱自在に取り付けられる。回路収容部３ｂは、例えばランプ収容部３ａの底側に延設されており、内部に回路ユニット４が収容される。外鍔部３ｃは、例えば円環状であって、ランプ収容部３ａの開口部から外方へ向けて延設されている。器具３は、ランプ収容部３ａおよび回路収容部３ｂが天井２に貫設された埋込穴２ａに埋め込まれ、外鍔部３ｃが天井２の下面２ｂにおける埋込穴２ａの周部に当接された状態で、例えば取付ねじ（不図示）によって天井２に取り付けられる。
【００２２】
回路ユニット４は、発光ユニット６を点灯させるためのものであって、発光ユニット６と電気接続される電源線４ａを有し、電源線４ａの先端には発光ユニット６のリード線７１のコネクタ７２と着脱自在に接続されるコネクタ４ｂが取り付けられている。
＜発光ユニット６の構成＞
図２は、実施形態に係る発光ユニットを示す斜視図である。図３は、実施形態に係る発光ユニットを示す分解斜視図である。図２および図３に示すように、発光ユニット６は、発光モジュール１０、金属基台２０、カバー３０、電気絶縁部材４０および配線部材７０を備える。
【００２３】
（発光モジュール１０）
図４は、発光モジュール１０の平面図である。図３、図４に示すように、発光モジュール１０は、基板１１、発光部１２、配線パターン１３、導電ランド１４および速結端子１５を備える。
基板１１は、発光部１２、配線パターン１３、導電ランド１４および速結端子１５が配設される基部である。本実施形態に係る基板１１は、平面視形状が矩形をしており、例えば、セラミックやガラスエポキシ等の電気絶縁部材からなる。
【００２４】
発光部１２の平面視形状は円形状をしている。図４における拡大図に示すように、発光部１２は、基板１１の上面に実装された複数の発光素子１２ａと、発光素子１２ａ全体を覆う波長変換部材１２ｂとを含む。本実施形態に係る複数の発光素子１２ａは、例えば青色ＬＥＤであり、基板１１の上面にＣＯＢ（Ｃｈｉｐ  ｏｎ  Ｂｏａｒｄ）技術を用いてフェイスアップ実装されている。波長変換部材１２ｂは、例えば、透光性樹脂と蛍光体とを含む。透光性樹脂としては、例えば、シリコーン樹脂、エポキシ樹脂、フッソ樹脂、シリコーン・エポキシのハイブリッド樹脂、ユリア樹脂等を用いることができる。蛍光体としては、例えば、緑色蛍光体と赤色蛍光体との組み合わせ、黄色蛍光体等を用いることができる。
【００２５】
配線パターン１３は、配線部材７０から供給される電力を発光部１２に給電するためのものである。配線パターン１３は、例えば、銅箔等の金属箔で構成されている。
導電ランド１４は、基板１１上における発光部１２を避けた領域に配設されており、配線パターン１３と同様に、銅箔等の金属箔で構成されている。導電ランド１４は、発光部１２を構成する各発光素子１２ａと電気接続されている。なお、導電ランド１４の上面には速結端子１５が存在するため、導電ランド１４は図３には現れていない。
【００２６】
導電ランド１４は長尺状であり、矩形状の基板１１の四隅のうちの二隅に配置されている。このようにすることで、導電ランド１４と発光部１２との距離を最大限確保することができる。この結果、導電ランド１４上に速結端子１５を半田付けする際に、作業員の指や発光ユニット組立用ロボットのアームが発光部１２に接触することを防止することができる。これは、発光ユニット６が小型化された場合に、より有効である。
【００２７】
さらに、後述するように、端子部１６はカバー３０の内部空間に収容されるが、カバー３０の中央部に光出射窓３１を設ける関係上、カバー３０の内部空間はカバー３０の外周部へ向かうほどＺ軸方向に大きくなる。速結端子１５のようにＺ軸方向に高さのある部品を基板１１の四隅に配置させることで、カバー３０における内部空間のより広い場所に速結端子１５を配置させることができる。したがって、速結端子１５の形状が、カバー３０の内部空間の大きさの制約を受けにくくすることができる。
【００２８】
また、本実施形態の導電ランド１４は、矩形状の基板１１の四隅のうち隣接する二隅に配置されている。このようにすることで、四隅のうち対向する二隅に導電ランド１４を配置する場合と比較して、リード線７１に対し、よりストレスを加えることなくリード線７１を束ねることが可能である。
さらに、四隅のうち隣接する二隅に配置した場合、四隅のうち対向する二隅に導電ランド１４を配置した場合と比較して、リード線７１を束ねる際に基板１１上を通過するリード線７１の面積は少なくて済む。したがって、リード線７１を束ねる際に、リード線７１が基板１１上に配設されている発光部１２や他の回路部品等に接触するおそれを低減することができる。なお、基板１１上におけるリード線７１が通過する領域を避けて回路部品等を配設する場合であっても、四隅のうち隣接する二隅に配置することで、基板１１上における回路部品を配設しない領域をより小さくすることが可能である。
【００２９】
導電ランド１４の上面には、発光部１２に電気接続される速結端子１５が半田付けされている。速結端子１５は、一対のリード線７１と導電ランド１４とを電気接続するためのものである。速結端子１５の差込口１５ａにリード線７１が差し込まれることで、リード線７１と導電ランド１４とが電気接続される。この接続の詳細については配線部材７０の説明の際に併せて説明する。
【００３０】
本実施形態においては、一対の導電ランド１４と一対の速結端子１５とで、基板１１上における発光部１２を避けた領域に配設され、一対のリード線７１が１対１対応で接続される一対の端子部１６を構成している。図４に示すように、各端子部１６は、対応するリード線７１の一端をそれぞれ第１および第２方向Ｄ１，Ｄ２に接続するものである。具体的には、各速結端子１５の差込口１５ａにリード線７１が差し込まれる際の差込方向が、それぞれ第１および第２方向Ｄ１，Ｄ２と一致している。以下、本実施形態において、第１および第２方向Ｄ１，Ｄ２を各リード線７１の差込方向とする。
【００３１】
また、図４に示すように、速結端子１５の平面視形状は、リード線７１の差込方向Ｄ１，Ｄ２に沿った方向に長辺を有する長尺状をしている。導電ランド１４は、速結端子１５の平面視形状に対応した長尺状をしている。すなわち、各導電ランド１４の長手方向は、それぞれ第１および第２方向Ｄ１，Ｄ２と一致している。
さらに、平面視において、各端子部１６は、第１および第２方向Ｄ１，Ｄ２に延伸する仮想線Ｌ１，Ｌ２同士が交差するように、かつ、仮想線Ｌ１，Ｌ２が発光部１２の輪郭に沿うように配置されている。この配置の詳細については、後ほど詳しく説明する。
【００３２】
（金属基台２０）
金属基台２０は、アルミニウム等の熱伝導に優れた金属材料で構成された板状部材である。金属基台２０は、発光モジュール１０の基板１１を載置するための載置台としての機能と、発光モジュール１０で発生した熱を発光ユニット６の外部へ放熱させる放熱部材としての機能も併せ持つ。この機能を十分に発揮させるため、金属基台２０は、発光素子１２ａが形成されている領域である発光部１２よりも大きくしている。
【００３３】
金属基台２０の外周部には、ねじ孔２１が３箇所形成されている。ねじ孔２１は、金属基台２０とカバー３０との接合用の組立ねじ３３を螺合するためのものである。
また、金属基台２０の上面には、他の領域よりも厚みが薄い載置部２２が形成されている。載置部２２は、金属基台２０と導電ランド１４とを基板１１に沿った最短沿面距離で結ぶ経路と交わる部分に設けられている。載置部２２は、金属基台２０と基板１１との界面に電気絶縁部材４０を介挿するための間隙として形成されているものであり、電気絶縁部材４０の形状に合わせて形成されている。
【００３４】
金属基台２０の外周部には、さらに切欠部２３が形成されている。切欠部２３は、導電ランド１４と金属基台２０との間の絶縁性を向上させるために形成されているものである。
（カバー３０）
カバー３０は、例えば、白色不透明の樹脂等の非透光性材料で構成され、発光モジュール１０の発光部１２からの出射光を出射させるための光出射窓３１が設けられている。光出射窓３１の内周面３１ａは、発光部１２の主出射方向に向かって拡径するテーパー状となっている。内周面３１ａには、発光部１２からの出射光を拡散させる拡散処理、例えば、フロスト処理やブラスト処理、又は、微粒子の吹き付けや塗布処理が施されている。
【００３５】
カバー３０には切欠部３２が形成されており、この切欠部３２には組立ねじ３３を挿通させるための挿通孔３２ａが形成されている。金属基台２０にカバー３０を接合する際、まず、カバー３０の外縁部に形成されたツメ部３４を金属基台２０の外縁部に係合させる。そして、この状態でカバー３０の上方から挿通孔３２ａに組立ねじ３３を挿通し、組立ねじ３３をねじ孔２１に螺合させることによって、カバー３０を金属基台２０に取り付ける。
【００３６】
カバー３０の光出射窓３１からの外周の領域は、内部が中空になっている。そのため、金属基台２０とカバー３０とが接合された状態において、速結端子１５はこの内部空間に収容される。
本実施形態においては、金属基台２０とカバー３０とで、基板１１、発光部１２および各端子部１６を収容するケースを構成している。また、カバー３０には、２つのノッチ部３５が形成されている。さらに、各ノッチ部３５には、速結端子１５の差込口１５ａと連通する開口部３５ａが形成されている。開口部３５ａは、リード線７１の他端を外部電源へ導くためのものである。ここでのリード線７１の他端とは、リード線７１における端子部１６に接続される一端側とは反対側を指す。ノッチ部３５と開口部３５ａの機能については、配線部材７０についての説明の際に併せて説明する。
【００３７】
カバー３０の上面には、カバー３０の内部空間と連通する貫通孔３６が形成されている。貫通孔３６は、速結端子１５からリード線７１を外す冶具を挿入するためのものである。また、切欠部３７は、発光ユニット６の器具３への取付時において、２本のリード線７１を金属基台２０の裏側へ案内するためのものである。
（電気絶縁部材４０）
電気絶縁部材４０は、金属基台２０に形成された載置部２２と基板１１との間隙に介挿されている。すなわち、金属基台２０と導電ランド１４とを基板１１に沿った最短沿面距離で結ぶ経路と交わる部分に、電気絶縁部材４０が設けられている。このような構成により、金属基台２０と導電ランド１４との沿面距離を長くすることができるので、基板１１を大型化することなく、金属基台２０と導電ランド１４との間の絶縁性を向上させることが可能である。
【００３８】
さらに、切欠部２３が形成されていることにより、金属基台２０における上記最短沿面距離で結ぶ経路と交わる部分が電気絶縁部材４０の外縁より内方に存在することになる。これにより、金属基台２０と導電ランド１４との沿面距離をさらに長くすることができ、金属基台２０と導電ランド１４との間の絶縁性がより向上する。
電気絶縁部材４０を構成する材料としては、例えば、ポリカーボネート、プロピレンカーボネート、ポリイミド、エポキシ、シリコーン等の樹脂やマイカ、エナメル、ガラス等の無機材料等が挙げられる。また、電気絶縁部材４０は、熱伝導性を有する材料で構成されていれば、より望ましい。熱伝導性を有していることにより、点灯中に発光モジュール１０で発生した熱を、電気絶縁部材４０に蓄熱することなく金属基台２０に伝熱させることができるので、放熱性の観点で望ましい。
【００３９】
また、上述したように、金属基台２０は、発光モジュール１０で発生した熱を発光ユニット６の外部へ放熱させる機能を有する。この機能をより効果的に発揮させるために、本実施形態においては、図３に示すように、発光素子１２ａを含んでなる発光部１２が存在する領域に対応する金属基台２０と基板１１との界面には、電気絶縁部材４０が介挿されていない。
【００４０】
（配線部材７０）
配線部材７０は、回路ユニット４と発光ユニット６とを電気接続するものであり、一対の（２本の）リード線７１、コネクタ７２を含む。リード線７１の一端は速結端子１５を介して導電ランド１４に電気接続される。リード線７１の他端は、コネクタ７２が回路ユニット４のコネクタ４ｂに接続されることで、回路ユニット４に電気接続される。
【００４１】
図５は、リード線７１の導電ランド１４への電気的接続方法について説明するための側面図である。まず、図５（ａ）に示すように、速結端子１５は２枚の板金１５ｂを備えている。半田付けにより速結端子１５を導電ランド１４に取着することにより、図５（ｂ）に示すように、下方側の板金１５ｂと導電ランド１４とが電気接続されるとともに、２本の板金１５ｂが対向する。そして、上述した方法により、金属基台２０とカバー３０とを接合する。図３に示すように、ノッチ部３５には開口部３５ａが形成されており、金属基台２０とカバー３０とが接合された状態において、開口部３５ａは速結端子１５の差込口１５ａと連通している。
【００４２】
次に、図５（ｃ）に示すように、カバー３０の開口部３５ａ（図３）を介して速結端子１５の差込口１５ａにリード線７１を差し込む。ここで、板金１５ｂは、先端部１５ｂ間の距離Ｓ１がリード線７１における金属線７１ａの直径Ｓ２よりも小さくなるように形成されている。これにより、図５（ｄ）に示すように、リード線７１が板金１５ｂと電気接続される。板金１５ｂと導電ランド１４とが電気接続されている結果、リード線７１が導電ランド１４に電気接続される。
【００４３】
説明しているように、導電ランド１４とリード線７１とを電気接続する際には、リード線７１を速結端子１５に差し込む。カバー３０に形成されたノッチ部３５は、このリード線７１を速結端子１５に差し込む作業を行う際の、作業性を向上させる機能を有する。ノッチ部３５の構造を具体的に説明すると、ノッチ部３５は、カバー３０の側壁の一部がリード線７１の差込方向に凹入してなる。カバー３０の側壁の一部が凹入することにより、側壁の一部がノッチ部３５の内側面を構成しているが、この内側面における差込口１５ａに対向する面に開口部３５ａが形成されている。開口部３５ａは、リード線７１を挿通させるためのものであり、開口部３５ａに挿通されたリード線７１は、速結端子１５の差込口１５ａに差し込まれる。さらに、ノッチ部３５の内側面は、ノッチ部３５にリード線７１を挟持した指を案内した状態において、当該指と当接する形状に形成されている。
【００４４】
ノッチ部３５がこのような形状をしていることで、開口部３５ａの位置を目視せずとも、リード線７１を挟持した指をノッチ部３５に差し入れるだけで、簡単にリード線７１を差込口１５ａに差し込むことができる。したがって、発光ユニット６組立時の作業性を向上させることが可能である。
［端子部１６の配置の詳細］
＜概略＞
図６は、端子部１６の配置の詳細を説明するための平面図である。図６では、主に発光モジュール１０の平面図を示しているが、説明の都合上、カバー３０における輪郭およびノッチ部３５を発光モジュール１０と重なるように破線で示している。
【００４５】
図６に示すように、平面視において、一対の端子部１６は、（ｉ）リード線７１の速結端子１５への差込方向Ｄ１，Ｄ２に延伸する仮想線Ｌ１，Ｌ２同士が交差するように、かつ、（ｉｉ）仮想線Ｌ１，Ｌ２が発光部１２の輪郭に沿うように配置されている。ここで、「一対の端子部は、仮想線が発光部の輪郭に沿うように配置されている」とは、各端子部へのリード線の差込方向に延伸する仮想線が、発光部と交差しないことを意味する。
【００４６】
このような構成によれば、リード線７１の一端が端子部１６の速結端子１５に接続されるだけで、リード線７１の他端はほとんどストレスが加わることなく、基板１１の外周方向に向けて自然に収束される。本実施形態では発光モジュール１０がカバー３０で覆われるため、リード線７１の他端はカバー３０のノッチ部３５における開口部３５ａに向けて延伸する。そして、開口部３５ａを介してカバー３０の外部に導出されたリード線７１は、コネクタ７２に接続されることで束ねられる。
【００４７】
このような効果を得るためには、上記（ｉ）および（ｉｉ）の条件を両方満たしている必要がある。
＜（ｉｉ）の条件の必要性＞
図７（ａ）は、実施形態に係る発光モジュール１０を示す平面図であり、図７（ｂ）は、比較例に係る発光モジュール９１０を示す平面図である。
【００４８】
図７（ａ）に示す発光モジュール１０は、これまで説明してきたものである。図７（ａ）においては、端子部１６として速結端子１５のみを図示している。図７（ｂ）に示す発光モジュール９１０は、基板９１１、発光部９１２、配線パターン９１３および端子部９１６を備える。図７（ａ）と同様に、図７（ｂ）においては、端子部９１６として速結端子９１５のみを図示している。
【００４９】
発光モジュール１０と発光モジュール９１０との違いは、主には端子部９１６の配置である。すなわち、比較例に係る発光モジュール９１０の速結端子９１５は、上記（ｉ）の条件は満たしているが、（ｉｉ）の条件は満たしていないものである。なお、発光部９１２の大きさは、発光モジュール１０における発光部１２と同じである。また、配線パターン９１３は、端子部９１６の配置の関係上、発光モジュール１０のものとは位置が若干変わっている。
【００５０】
図７に示すように、比較例の場合でも、リード線の差込方向Ｄ９１，Ｄ９２に延伸する仮想線Ｌ９１、Ｌ９２同士は交差する。しかしながら、（ｉｉ）の条件を満たさず、仮想線Ｌ９１，Ｌ９２が発光部９１２の輪郭に沿うように配置されていないため、リード線の一端を端子部９１６に接続しても、リード線の他端は自然には収束されない。また、リード線を収束させようとすると、リード線の他端が収束させる方向とは逆方向を向くため、リード線に加わるストレスは大きくなる。
【００５１】
さらに、比較例に係る発光部９１２と端子部９１６との距離ｒを、実施形態に係る発光部１２と端子部１６との距離ｒと同程度にしようとする場合を考える。比較例では、仮想線Ｌ９１，Ｌ９２が発光部９１２の輪郭に沿うように配置されていないため、速結端子９１５の角部９１５ａがより外方に位置することになる。したがって、図７に示すように、比較例では基板９１１の大きさをより大きくする必要がある。基板９１１が大型化すると、発光モジュール９１０が大型化し、これに伴って発光モジュール９１０を収容するケースも大型化する。この結果、既存の照明器具に取り付けることができなくなったり、発光ユニットの重量が増えることで照明器具に発光ユニットを取り付ける際の作業性が低下したりする等の問題を招来する。
【００５２】
しかしながら、実施形態に係る発光モジュール１０では、上記（ｉ）および（ｉｉ）の双方の条件を満たしているため、比較例で起こるような問題は招来しない。
＜仮想線Ｌ１，Ｌ２同士のなす角θ＞
図６に戻り、差込方向Ｄ１，Ｄ２に延伸する仮想線Ｌ１，Ｌ２同士のなす角θは、特に限定されるものではないが、望ましくは２０〜９０［°］、より望ましくは３０〜６０［°］である。以下、この理由について説明する。なお、図６においては、角θが３０［°］である場合を図示している。
【００５３】
まず、角θを２０［°］以上とすることで、発光モジュール１０から比較的近い位置で仮想線Ｌ１，Ｌ２同士を交差させることが可能であるため、リード線７１を束ねる際のストレス抑制効果を得やすい。
一方、角θを大きくした場合の影響について図８を参照しながら説明する。図８（ａ）は、仮想線Ｌ１，Ｌ２同士のなす角θを３０［°］とした発光モジュール１０を示す平面図であり、図８（ｂ）は、仮想線Ｌ１，Ｌ２同士のなす角θを９０［°］とした発光モジュール１０を示す平面図である。まず、図７に示すように、角θを大きくした場合、発光モジュール１０から比較的近接した位置で仮想線Ｌ１，Ｌ２同士が交差することになるため、それに伴ってリード線７１は、その一端側に近い位置で比較的大きな角度をもって束ねられることになる。そのため、リード線７１を束ねた際に加わるストレスが却って大きくなるおそれがある。
【００５４】
さらに、本実施形態のように発光モジュール１０をケース（ここではカバー３０）に収容するとともに、ケースにノッチ部３５を設ける場合は、角θを大きくすると発光部１２が縮小されるおそれがある。具体的に説明すると、図８（ｂ）に示すように、角θを大きくしたのに伴って、リード線７１の挿通を案内するノッチ部３５をカバー３０のより内方に設ける必要が生じる。その結果、光出射窓３１を設けることができる領域が狭小になり、これに対応して発光部１２の面積も縮小されるおそれがある。したがって、発光ユニットとしての光量減少を招来するおそれがある。
【００５５】
しかしながら、角θを９０［°］以下とすることで、光量減少を防止しつつ、リード線７１を束ねる際に加わるストレスを抑制することが可能である。
≪発光モジュールの構成に係る変形例≫
［一対の端子部の組数］
上記実施形態においては、発光モジュールに一対のリード線７１が１組接続される例、すなわち、発光モジュールに一対の端子部が１組設けられている例について説明したが、これに限定されない。
【００５６】
図９は、発光モジュールの構成に係る変形例を示す平面図である。本変形例に係る発光モジュール１７は、一対のリード線７１が２組接続されるものである。このようなものの具体例としては、発光部１２における紙面上半分と下半分とで供給する電流値が異なる場合等がある。
発光モジュール１７では、一対の配線パターン、一対の導電ランド（不図示）および一対の速結端子が２組ずつ設けられている。すなわち、配線パターンは、一対の配線パターン１３Ａと一対の配線パターン１３Ｂの２組である。速結端子は、一対の速結端子１５Ａと一対の速結端子１５Ｂの２組である。図９ではカバー３８におけるノッチ部３５Ａ，３５Ｂを破線にて発光モジュール１７と重ねて図示しているが、このノッチ部３５Ａ，３５Ｂも２組設けられている。一方の一対のリード線は、速結端子１５Ａの差込口１５Ａａに差し込まれ、他方の一対のリード線は、速結端子１５Ｂの差込口１５Ｂａに差し込まれる。
【００５７】
図９に示すように、平面視において、一対の速結端子１５Ａは、（ｉ）リード線の速結端子１５Ａへの差込方向Ｄ１，Ｄ２に延伸する仮想線Ｌ１，Ｌ２同士が交差するように、かつ、（ｉｉ）仮想線Ｌ１，Ｌ２が発光部１２の輪郭に沿うように配置されている。これと同様に、一対の速結端子１５Ｂは、（ｉ）リード線の速結端子１５Ｂへの差込方向Ｄ３，Ｄ４に延伸する仮想線Ｌ３，Ｌ４同士が交差するように、かつ、（ｉｉ）仮想線Ｌ３，Ｌ４が発光部１２の輪郭に沿うように配置されている。これにより、速結端子１５Ａおよび速結端子１５Ｂのそれぞれで、実施形態にて説明した効果を得ることが可能である。
【００５８】
なお、図９においては、発光モジュール１７に一対の端子部を２組設ける例を示したが、一対の端子部の組数は３組、４組、またはそれ以上であってもよい。
［端子部の構成］
上記実施形態に係る端子部は、長尺状の速結端子と、速結端子の平面視形状に対応した長尺状の導電ランドとを含むこととしたが、これに限定されるものではない。図１０は、端子部の構成に係る変形例を示す平面図である。
【００５９】
図１０（ａ）に示すように、導電ランド１４に対して直接的にリード線７１の金属線７１ａを半田１８により接続することとしてもよい。すなわち、本例では、リード線７１を導電ランド１４に半田付けする。本例の場合、端子部の構成要素は導電ランドのみであり、導電ランド１４は、対応するリード線７１の一端をそれぞれ差込方向Ｄ１，Ｄ２に接続するものである。
【００６０】
また、図１０（ｂ）に示すように、導電ランドの平面視形状が速結端子の平面視形状と対応していないこととしてもよい。図１０（ｂ）に示す端子部１０１は、円形状の導電ランド１９を備える。さらに、図１０（ｃ）に示す端子部１０３は、円形状の導電ランド１９と平面視形状が円形状の速結端子１０２を備える。符号１０２ａで示しているものは、リード線を差し込む差込口である。図１０（ｂ），（ｃ）に示す例のように、導電ランドまたは速結端子が、リード線の差込方向を観念させないような平面視形状であることとしてもよい。なお、図１０（ａ）において、円形状の導電ランドにリード線を半田付けすることとしてもよい。
【００６１】
［基板の形状］
上記実施形態においては、発光モジュールの基板の平面視形状が矩形状であることとしたが、これに限定されない。図１１は、基板の形状に係る変形例を示す平面図である。図１１に示す発光モジュールは、平面視形状が円形状の基板１０４を備える。このように、発光モジュールの基板の形状を矩形以外のものとすることができる。その他の平面視形状としては、三角形、四角形、多角形、星型等とすることもできる。
【００６２】
また、図１１において実施形態のように基板を矩形状とした場合の当該基板の輪郭を一点鎖線で示している。上述したように、基板の形状は特に限定されるものではないが、発光部１２と端子部１６との距離ｒを一定とする場合、基板を矩形状とする方が、円形状とする場合と比較して、発光モジュールを小型化することが可能である。
［発光部の形状］
上記実施形態においては、発光モジュールの発光部の平面視形状が円形状であることとしたが、これに限定されない。図１２（ａ）は、実施形態に係る発光モジュールを示す平面図であり、図１２（ｂ）は、変形例に係る発光モジュールを示す平面図である。図１２（ａ）に示す発光モジュールは、上記実施形態で説明してきたものである。図１２（ｂ）に示すように、変形例では平面視形状が矩形状の基板１０５上に、平面視形状が矩形状の発光部１０６が形成されている。なお、配線パターン１０７は、発光部１０６を矩形状とした関係上、実施形態に係る発光モジュールのものとは位置が若干変わっている。変形例に係る発光部１０６は、実施形態に係る円形状の発光部１２と略同面積の正方形としている。発光部の他の平面視形状としては、例えば、円環状、長方形、三角形、五角形以上の多角形等が考えられる。
【００６３】
また、発光部１２と端子部１６との距離ｒを一定とする場合、図１２に示すように、発光部を矩形状としたときと比較して、発光部を円形状とした方が、基板をより小型することができる。なお、図１２（ｂ）においては、基板をＸ方向に拡張する場合を図示しているが、端子部１６における内方の角部１６ａと発光部１０６との距離を最短とする場合には、基板はＹ方向に拡張することになる。すなわち、発光部を矩形状にした場合、Ｘ方向またはＹ方向のいずれかに基板が拡張することになる。
【００６４】
上述したように、基板を矩形状とすることで発光モジュールの小型化を図ることができる。このことより、基板の平面視形状を矩形状とするとともに、発光部の平面視形状を円形状とすることで、さらなる発光モジュールの小型化を図ることができると言える。
≪その他の変形例≫
以上、本発明の構成を説明したが、本発明は上記の実施形態に限られない。例えば、以下のような変形例等を挙げることができる。
【００６５】
（１）図１２（ｂ）では、平面視形状が矩形状である発光部１０６について説明したが、この場合の端子部の配置は、図１２（ｂ）に示すものに限定されない。図１３（ａ）は、発光部の平面視形状が矩形状である場合における端子部の他の配置を示す平面図である。図１３（ａ）示す端子部１０８は、矩形状の発光部の辺に沿って配置されている。端子部１０８をこのように配置すると、端子部１０８へのリード線の差込方向に延伸する仮想線Ｌ５，Ｌ６同士は互いに交差する。さらに、端子部１０８は発光部１０６の輪郭に沿うように配置されている。したがって、上記（ｉ）および（ｉｉ）の条件を双方とも満たす。したがって、このような構成によっても、上記実施形態で説明した効果を得ることが可能である。
【００６６】
一方、図１３（ｂ）は、発光部の平面視形状が矩形状である場合における端子部の配置の比較例を示す平面図である。本比較例に係る端子部９１７は、矩形状の発光部の辺に沿って配置されているため、上記（ｉｉ）の条件は満たしている。しかしながら、端子部９１７へのリード線の差込方向に延伸する仮想線Ｌ９３，Ｌ９４同士は互いに交差しないため、上記（ｉ）の条件を満たさない。したがって、上記実施形態で説明したような効果を得ることはできない。
【００６７】
（２）上記実施形態および変形例では、正側のリード線１本と負側のリード線１本の計２本のリード線を一対のリード線として説明した。すなわち、「一対のリード線」は、正および負の極性を有する一対のリード線を意味する。そのため、例えば、正側のリード線２本と負側のリード線１本の計３本のリード線で一対のリード線が構成されていることとし、一方の端子部に正側のリード線２本を接続し、他方の端子部に負側のリード線１本を接続することとしてもよい。
【００６８】
（３）上記実施形態（図４、図６等）においては、導電ランドの平面視形状を速結端子の平面視形状にと対応させて長尺状としていた。しかしながら、速結端子と電気接続される限りは、導電ランドの平面視形状は特に限定されるものではなく、円形状や、正方形、三角形、五角形以上の多角形とすることも可能である。
（４）上記実施形態および変形例では、発光モジュールがケースに収容されてなる発光ユニットについて説明したが、上記実施形態および変形例に係る発光モジュールをケースに収容せずに、単独で用いることも可能である。
【００６９】
（５）上記実施形態および変形例では、カバーおよび金属基台の平面視形状が、角のとれた矩形状であった。本変形例においては、カバーおよび金属基台の平面視形状が、略円形である例について説明する。
図１４（ａ）は、変形例に係る発光ユニットを示す斜視図であり、図１４（ｂ）は、カバー３９を取り除いた状態の発光ユニットの斜視図である。図１４では、実施形態におけるものと同様の構成、または同等の機能を有する構成には、同符号を付している。
【００７０】
発光ユニットは、発光モジュール１０、金属基台２４、カバー３９、電気絶縁部材４１、配線部材７０を備える。
図１４（ｂ）に示すように、金属基台２４には、組立ねじ３３を螺合するためのねじ孔２５が２箇所形成されている。また、金属基台２４には、発光ユニットの器具３への取付時において、リード線７１を金属基台２４の裏側へ案内する際に、リード線７１と金属基台２４の外縁とが干渉しないようにするための切欠部２６が形成されている。さらに、金属基台２４には、金属基台２４と基板１１との界面領域に電気絶縁部材４１を介挿するための載置部２７が形成されている。
【００７１】
カバー３９には、切欠部３０１が２箇所形成されており、切欠部３０１には組立ねじ３３を挿通する挿通孔が形成されている。また、カバー３９には、リード線７１を挿通させるための開口部が形成された切欠部３０２が設けられている。
図１４（ｂ）に示すように、電気絶縁部材４１は、基板１１の形状に対応した環状をしている。また、電気絶縁部材４１は、電気絶縁部材４１における導電ランド付近の外縁が、導電ランドからから離れた位置の外縁よりも外方にある形状となっている。なお、導電ランドは、基板１１の上面における速結端子１５の下方に配設されており、図１４には現れていない。
【００７２】
（６）上記実施形態および変形例で説明したカバーの構成は単なる一例である。例えば、リード線を挟持した指を案内するノッチ部の形状を他の形状とすることもできる。図１５は、変形例に係るカバーを示す斜視図である。上記実施形態および変形例では、速結端子の差込口毎にノッチ部が設けられていたが、図１５に示す変形例では、２つの速結端子の差込口に対して１つのノッチ部が設けられている。すなわち、１つのノッチ部に、速結端子の差込口と連通する開口部が２箇所形成されている。この場合、開口部にリード線を挿通させる際は、リード線を挟持した指の一方だけをノッチ部の内側面と当接させながら当該指を差込方向に摺動させることになる。
【００７３】
さらに、上記実施形態および変形例では、ノッチ部に形成された開口部がノッチの内底面にも延設されているが、これに限定されるものではない。開口部がノッチ部の内側面における速結端子の差込口と対向する面のみに形成されていることとしてもよい。
（７）上記実施形態および変形例では、カバーにリード線を挟持した指を案内するノッチ部が形成されていることとしたが、このノッチ部は本発明に係る発光ユニットに必須の構成要件ではない。図１６、図１７および図１８は、変形例に係るカバーを示す斜視図である。図１６〜図１８に示すカバーのように、指を案内するノッチ部を形成しないこととしてもよい。図１６では、リード線を挿通させるための開口部が形成されるカバーの側壁が、リード線の差込方向に後退している。これにより、図１６のカバーの場合、図１７および図１８のカバーと比較して、開口部と速結端子の差込口との距離をより近接させることができ、リード線の差込作業の効率を向上させることが可能である。
【００７４】
また、図１６および図１７に示すカバーには、リード線を金属基台の裏側へ案内するための切欠部３０３が形成されているが、これも必須の構成要件ではない。図１８に示すカバーのように、リード線を金属基台の裏側へ案内するための切欠部が形成されていないものであってもよい。
（８）図１９は、変形例に係る金属基台を示す斜視図である。上記実施形態および変形例に係る発光ユニットは、金属基台と発光モジュールの基板との間に電気絶縁部材を介挿することとしたが、この電気絶縁部材は本発明に必須の構成要件ではない。そのため、図１９（ａ）に示す金属基台のように、電気絶縁部材を載置するための載置部を形成しないこととしてもよい。また、金属基台と発光モジュールの基板と間の絶縁性を向上させるための切欠部も本発明に必須ではない。したがって、図１９（ｂ）に示す金属基台のように、金属基台に切欠部を設けないこととしてもよい。続いて、図１９（ｃ）に示す金属基台のように、２本のリード線を金属基台の裏側へ案内するための切欠部２８をさらに形成することとしてもよい。切欠部２８が形成されていることにより、リード線を金属基台の裏側へ案内する際に、リード線が金属基台の外縁と干渉することを防止できる。
【００７５】
（９）上記実施形態および変形例では、発光素子としてＬＥＤを例示したが、本発明はこれに限定されない。ＬＥＤの他には、例えば、ＬＤ（レーザダイオード）や、ＥＬ素子（エレクトリックルミネッセンス素子）等を用いることとしてもよい。また、これらの光源を組み合わせて使用することとしてもよい。
（１０）上記実施形態および変形例では、行列状に配列された複数の発光素子のうちの一行全ての発光素子を１つの波長変換部材で覆う例について説明したが、本発明はこれに限定されない。例えば、１つの発光素子を１つの波長変換部材で被覆してもよいし、行列状に配列された複数の発光素子全体を１つの波長変換部材で被覆してもよいし、上記複数の発光素子のうちの一列全ての発光素子を１つの波長変換部材で被覆することとしてもよい。
【００７６】
（１１）上記実施形態および変形例では、発光素子として青色ＬＥＤを用い、蛍光体としては緑色蛍光体と赤色蛍光体との組み合わせ、黄色蛍光体を用いる例を示したが、これに限定されない。他の例としては、例えば、白色を発光させる場合、ＬＥＤの発光色を紫外線光とし、蛍光体として、赤色蛍光体、緑色蛍光体および青色蛍光体の３種類を用いるものがある。
【００７７】
また、赤色発光、緑色発光、青色発光の３種類のＬＥＤ素子を用いて、混色させて白色光としてもよい。さらに、発光部から発せられる光色は白色に限定されるものでなく、その他の光色であってもよい。
（１２）上記実施形態および変形例では、配線部材の速結端子が導電ランドに取着される例を示したが、カバーに取着されることとしてもよい。
【００７８】
（１３）上記の実施形態では、発光ユニットの使用態様として、ダウンライトに使用する例を示したが、本発明はこれに限定されるものではない。例えば、天井や壁面に取り付けられるスポットライトや、天井面に取り付けられるシーリングライト、天井面から吊り下げるペンダントライト等の光源として用いることも可能である。
（１４）上記の実施形態で使用している、材料、数値等は好ましい例を例示しているだけであり、この形態に限定されることはない。また、本発明の技術的思想の範囲を逸脱しない範囲で、適宜変更は可能である。また、他の実施形態との組み合わせは、矛盾が生じない範囲で可能である。さらに、各図面における部材の縮尺は実際のものとは異なる。なお、数値範囲を示す際に用いる符号「〜」は、その両端の数値を含む。
【符号の説明】
【００７９】
１  照明器具
２  天井
２ａ  埋込穴
２ｂ  下面
３  器具
３ａ  ランプ収容部
３ｂ  回路収容部
３ｃ  外鍔部
４  回路ユニット
４ａ  電源線
４ｂ  コネクタ
６  発光ユニット
１０  発光モジュール
１１、１０４、１０５  基板
１２、１０６  発光部
１２ａ  発光素子
１２ｂ  波長変換部材
１３、１３Ａ、１３Ｂ、１０７  配線パターン
１４  導電ランド
１５、１５Ａ、１５Ｂ、１０２  速結端子
１５ａ、１５Ａａ、１５Ｂａ、１０２ａ  差込口
１５ｂ  板金
１５ｃ  先端部
１６、１０１、１０３、１０８  端子部
１６ａ  角部
１７  発光モジュール
１８  半田
１９  導電ランド
２０、２４  金属基台
２１、２５  ねじ孔
２２、２７  載置部
２３  切欠部
２６  切欠部
３０、３８、３９  カバー
３１  光出射窓
３１ａ  内周面
３２、３０１  切欠部
３２ａ  挿通孔
３２ｂ  周壁
３３  組立ねじ
３４  ツメ部
３５、３５Ａ、３５Ｂ、  ノッチ部
３５ａ  開口部
３６  貫通孔
３７、３０３  切欠部
３０２  切欠部
４０、４１  電気絶縁部材
７０  配線部材
７１  リード線
７１ａ  金属線
７２  コネクタ
Ｄ１、Ｄ２、Ｄ３、Ｄ４  差込方向
Ｌ１、Ｌ２、Ｌ３、Ｌ４、Ｌ５、Ｌ６  仮想線
９０００  発光ユニット
９０１  発光モジュール
９０２  基台
９０２ａ  載置台
９０２ｂ  凹部
９０２ｂａ  内周壁
９０２ｃ  突出部
９０２ｄ  導出部（窪み部）
９０３  発光部
９０４  基板
９０５  導電ランド（端子部）
９０６  リード線
９１０  発光モジュール
９１１  基板
９１２  発光部
９１３  導電ランド
９１５  速結端子
９１５ａ  角部
９１６  端子部
９１７  端子部
Ｌ９１、Ｌ９２、Ｌ９３、Ｌ９４  仮想線
Ｄ９１、Ｄ９２  差込方向
【図１】
2014154468.tif 000003
【図２】
2014154468.tif 000004
【図３】
2014154468.tif 000005
【図４】
2014154468.tif 000006
【図５】
2014154468.tif 000007
【図６】
2014154468.tif 000008
【図７】
2014154468.tif 000009
【図８】
2014154468.tif 000010
【図９】
2014154468.tif 000011
【図１０】
2014154468.tif 000012
【図１１】
2014154468.tif 000013
【図１２】
2014154468.tif 000014
【図１３】
2014154468.tif 000015
【図１４】
2014154468.tif 000016
【図１５】
2014154468.tif 000017
【図１６】
2014154468.tif 000018
【図１７】
2014154468.tif 000019
【図１８】
2014154468.tif 000020
【図１９】
2014154468.tif 000021
【図２０】
2014154468.tif 000022